(57)【要約】【課題】照射面積や照射強度等の照射光の特性を任意に変更可能で、さらには容易である電球型照明装置を提供する。【解決手段】電球型照明装置本体３０に備えられ、複数の発光素子７１を備える発光体７０と、複数の発光素子７１のそれぞれに対向して配置される複数のレンズ４１と、自身の回転を防止する回転防止部材４２とを備えるレンズ部材４０と、発光素子７１とレンズ４１との対向関係を維持した状態で、発光素子７１から放出される光の光軸方向にレンズ部材４０を移動させるレンズ部材移動機構と、を備えることを特徴とする、電球型照明装置。【選択図】図４
2014150009.tif 000002
【特許請求の範囲】
【請求項１】
電球型照明装置本体に備えられ、複数の発光素子を備える発光体と、
前記複数の発光素子のそれぞれに対向して配置される複数のレンズと、自身の回転を防止する回転防止部材とを備えるレンズ部材と、
前記発光素子と前記レンズとの対向関係を維持した状態で、前記発光素子から放出される光の光軸方向に前記レンズ部材を移動させるレンズ部材移動機構と、を備えることを特徴とする、電球型照明装置。
【請求項２】
回転可能に構成され、前記レンズ部材を支持する輪環状のレンズ位置調整部材を備え、
前記レンズ部材移動機構は、前記レンズ位置調整部材の回転に伴って前記レンズ位置調整部材が前記光軸方向に移動することで、前記レンズ部材が前記光軸方向に移動するように構成されていることを特徴とする、請求項１に記載の電球型照明装置。
【請求項３】
前記レンズ位置調整部材の内側面には、傾斜を有する第一のガイド溝、又は、第一の凸部が設けられ、
前記電球型照明装置本体の側面には、前記第一のガイド溝に摺動可能に嵌合する第二の凸部、又は、前記第一の凸部が摺動可能に嵌合する、傾斜を有する第二のガイド溝が設けられ、
前記レンズ位置調整部材の回転により、前記第一のガイド溝内を前記第二の凸部が摺動、又は、前記第二のガイド溝内を前記第一の凸部が摺動することで、前記レンズ位置調整部材に支持されるレンズ部材が前記光軸方向に移動されることを特徴とする、請求項２に記載の電球型照明装置。
【請求項４】
前記電球型照明装置本体は、前記発光体と前記レンズ部材との間に、前記発光素子からの光を前記レンズ部材に到達させる光取り出し孔と、前記光取り出し孔の周囲に形成され、前記光取り出し孔から取り出された光を反射させる反射板と、を備えるリフレクタ部材を有し、
前記凸部は前記リフレクタ部材の側面に設けられていることを特徴とする、請求項３に記載の電球型照明装置。
【発明の詳細な説明】
【技術分野】
【０００１】
本発明は、電球型照明装置に関する。
【背景技術】
【０００２】
ＬＥＤ（Light Emitting Diode）等の発光素子を有する発光体を備える電球形照明装置は、白熱電球と比較して長寿命化、省エネルギ化を図ることができるため、近年注目が集まっている。このような電球型照明装置において、発光素子からの光は、通常、レンズ等を透過して、外部を照射する。このとき、発光素子とレンズ等との距離を変更することで、外部を照射する光（照射光）の特性（照射面積や照射強度等）が可変である。
【０００３】
この技術に関連して、例えば特許文献１に記載の技術が知られている。特許文献１には、局部照明灯において、発光ダイオードとその前方に配置されるレンズを備え、レンズが発光ダイオードの発光強度分布に応じた複数のレンズ部に区分されていることが記載されている。また、発光ダイオードから発した光のうち、光強度の強い光がレンズ部を透過することで大きな拡散角度をもって被照射面に向けて照射されるようにし、被照射面上にほぼ矩形状の配光パターンを形成することが記載されている。
【先行技術文献】
【特許文献】
【０００４】
【特許文献１】特開２００５−１７４６８５号公報
【発明の概要】
【発明が解決しようとする課題】
【０００５】
特許文献１に記載の技術においては、正方形の各頂点に位置するように４つのレンズが配置されてレンズ部材が形成され、各レンズのそれぞれに対向するように、４つの発光素子が備えられている。そして、レンズ部材の中心（前記正方形の中心）が光軸周りに回転させられることで、レンズと発光素子との距離が可変になっている。そのため、レンズと発光素子との距離は、回転の角度（特許文献１では４５°ずつ）に応じて、所定間隔で設定可能になっているに過ぎない。従って、特許文献１に記載の技術によっては、レンズと発光素子との距離を連続的に変更することができず、照射光の特性を任意なものに変更することができない。
【０００６】
また、レンズ部材を回転させるため、レンズ部材の回転の前後で、発光体から放出される光がレンズに入射するときの入射角が異なることがある。即ち、回転の前後で、発光素子の光軸の相対的位置が、対向するレンズに対して異なることがある。これにより、レンズを透過して外部に放出される光（即ち照射光）の特性が異なることがある。また、予め定められた角度ではない（特許文献１では例えば２２．５°や６７．５°等）等、回転させる角度によっては、レンズと発光素子とが対向しないこともあり、このような場合には、十分な照射光が得られないことがある。従って、特許文献１に記載の技術においては、発光素子に対するレンズの位置合わせ（即ち、レンズ部材の回転）がある程度厳密に行われる必要がある。そのため、照射光の特性を変更するには、操作が煩雑である。
【０００７】
本発明はこれらの課題に鑑みて為されたものであり、本発明が解決すべき課題は、照射面積や照射強度等の照射光の特性を任意に変更可能で、さらには容易である電球型照明装置を提供することにある。
【課題を解決するための手段】
【０００８】
本発明者らは前記課題を解決するべく鋭意検討を行った。その結果、複数の発光素子のそれぞれに対向している複数のレンズを、その対向関係を維持した状態で発光素子の光軸方向に上下させるレンズ位置調整手段を備えることで前記課題を解決できることを見出した。
【発明の効果】
【０００９】
本発明によれば、照射面積や照射強度等の照射光の特性を任意に変更可能で、さらには容易である電球型照明装置を提供することができる。
【図面の簡単な説明】
【００１０】
【図１】本実施形態に係る電球型照明装置の側面図である。
【図２】本実施形態に係る電球型照明装置の上方斜視図である。
【図３】本実施形態に係る電球型照明装置の分解斜視図である。
【図４】本実施形態に係る電球型照明装置を構成する発光体より上方の一部分を拡大して示す分解斜視図である。
【図５】本実施形態に係る電球型照明装置を構成するレンズ位置調整部材についての断面図（図４のＡ−Ａ線断面図）である。
【図６】レンズ位置調整部材を回転させることで発光体とレンズ部材との距離を変更するときの各部材の動作を説明する図である。
【発明を実施するための形態】
【００１１】
以下、本発明を実施するための形態（本実施形態）を説明するが、本発明は以下の内容に何ら制限されるものではない。
【００１２】
＜構成＞
図１は、本実施形態に係る電球型照明装置１００の側面図である。電球型照明装置１００は、輪環状のレンズ位置調整部材２０と、本体部３０とを備えている。詳細は後記するが、電球型照明装置１００において、レンズ位置調整部材２０は回転可能に構成され、レンズ位置調整部材２０が回転されることで、レンズ位置調整部材２０の内部に支持されているレンズ部材４０（図３参照、図１では図示しない。）の位置が変化するようになっている。
【００１３】
本体部３０は、放熱体５０と口金３１とのほか、発光体７０及びリフレクタ部材６０（図１では図示しない。いずれも後記する）等を含んで構成されている。発光体７０の発光に伴って発生する熱は、放熱体５０によって外部に放出されるようになっている。また、口金３１を構成する導電性の接続部３２が図示しない接続口に接続されることで、発光体７０等に電力が供給され、発光体７０が発光するようになっている。
【００１４】
図２は、本実施形態に係る電球型照明装置１００の上方斜視図である。レンズ位置調整部材２０内には、正方形の頂点及び中心に位置する５つのレンズ４１を備えるレンズ部材４０が支持されている。レンズ部材４０は、例えば透明のアクリル樹脂等により構成されている。
【００１５】
放熱体５０の内部に備えられている発光体７０から発せられた光は、レンズ部材４０を透過して、外部に放出される（外部を照射する）ようになっている。より具体的には、詳細は図３を参照しながら後記するが、発光体７０に含まれる５つの発光素子７１（ＬＥＤ等）から発せられた光が、それぞれの発光素子７１に対向して配置されている５つのレンズ４１を通じて、外部に放出されるようになっている。なお、レンズ位置調整部材２０の端部の内側面は、上方に向かって窄まるテーパ形状になっている。これにより、レンズ４１を透過した光が反射して集光され、指向性が高められるようになっている。
【００１６】
図３は、本実施形態に係る電球型照明装置１００の分解斜視図である。放熱体５０の内部には、リード線（図示しない）を介して発光体７０の発光素子７１に所定の電力を供給するための電源回路基板３５と、電源回路基板３５を収納する樹脂製の収納ケース３６とが配設されている。なお、電源回路基板３５と接続部３２とは、商用電源を電源回路基板３５に供給するためのリード線（図示しない）で接続されている。また、放熱体５０の上端面には、後記する発光体７０及びリフレクタ部材６０を固定するための４本のねじ６１を挿入する４つのねじ穴５１が設けられている。
【００１７】
電源回路基板３５は、複数の電子部品（図示しない）が基板に実装されたものである。電源回路基板３５は、例えば、商用電源からの交流電力を直流電力に整流する回路、整流後の直流電力の電圧や電流等を調整する回路等を備えている。
【００１８】
収納ケース３６は、放熱体５０の内部に設置されている。収納ケース３６は例えばＰＢＴ（ポリブチレンテレフタレート）やＰＣ（ポリカーボネート）等の樹脂製である。収納ケース３６の発光体７０と反対側の端部には、口金３１が嵌合されて接着剤等によって固定される。なお、口金３１と接続部３２とは、絶縁部材３３によって絶縁されている。
【００１９】
発光体７０は、本体部３０（電球型照明装置本体）に設けられるものであり、発光体７０には、正方形の各頂点とその中央近傍との合計５箇所に、発光素子７１が配置されている。即ち、発光体７０は、本体部３０（電球型照明装置本体）に備えられ、複数の発光素子７１（本実施形態では５つの発光素子７１）を備えるものである。また、発光体７０の外縁近傍には、リフレクタ部材６０とともに発光体７０を放熱体５０の上端面に固定するために、４本のねじ６１が貫通する４つの貫通孔７２が設けられている。ここで、本体部３０を構成する発光体７０及びリフレクタ部材６０と、それらの上方に配置されているレンズ部材４０及びレンズ位置調整部材２０について、図４を参照しながら説明する。
【００２０】
図４は、本実施形態に係る電球型照明装置１００を構成する発光体７０より上方の一部分を拡大して示す分解斜視図である。リフレクタ部材６０には、発光体７０とともに放熱体５０に固定されたときの発光素子７１の光軸が貫通する位置に、５つの光取り出し孔６５が設けられている。即ち、例えば、図４に示す発光素子７１ａから発せされた光は、光取り出し孔６５ａを通ってレンズ４１ａに到達する。そして、レンズ４１ａに到達した光はレンズ４１ａを透過して、外部を照射するようになっている。また、光取り出し孔６５の端部内側面は、上方に向かって窄まるテーパ形状になっている。これにより、光取り出し孔６５を通過する光を反射させた後にレンズ４１を透過させることができ、指向性が高められた光が得られる。
【００２１】
このように、本体部３０に備えられるリフレクタ部材６０は、発光素子７１からの光をレンズ部材４０に到達させる光取り出し孔６５と、光取り出し孔６５の周囲に形成され、光取り出し孔６５から取り出された光を反射させる、光取り出し孔６５の内側面に形成されたテーパ形状の端部（反射板）と、を備えている。
【００２２】
また、リフレクタ部材６０の外縁近傍の上面には、レンズ部材４０の下面に備えられる凸部４２（後記する）が嵌合可能なように、凹部６３が設けられている。凹部６３は、凸部４２に対応するように、略等間隔で３つ設けられている。さらに、リフレクタ部材６０の外側面の上端には、レンズ位置調整部材２０の内側面に形成されているガイド溝２１（後記する）が嵌合可能なように、凸部６４が設けられている。即ち、凸部６４は、本体部３０（即ち、電球型照明装置本体。より具体的には、電球型照明装置本体（本体部３０）を構成するリフレクタ部材６０）の側面に形成され、ガイド溝２１に嵌合するものである。凸部６４は、ガイド溝２１に対応するように、略等間隔で３つ設けられている。
【００２３】
なお、凸部６４は、ガイド溝２１内で、ガイド溝２１に沿って摺動可能になっており、これにより、レンズ部材２０の上下方向の位置が変化するようになっている。この点の詳細は、図５及び図６を参照しながら後記する。
【００２４】
レンズ部材４０の上面には、前記のように、５つのレンズ４１が設けられている。一方、下面には、リフレクタ部材６０に設けられた凹部６３に嵌合可能な位置に、凸部４２が設けられている。因みに、凸部４２は、凹部６３内で上下方向に摺動可能に嵌合されるようになっている。凸部４２は、凹部６３に対応するように、レンズ部材４０の外縁近傍の下面に、略等間隔で３つ設けられている。即ち、レンズ部材４０は、複数の発光素子７１（本実施形態では５つの発光素子７１）のそれぞれに対向して配置される複数のレンズ（本実施形態では５つのレンズ４１）と、自身の回転を防止する凸部４２（回転防止部材）とを備えるものである。
【００２５】
レンズ位置調整部材２０は、放熱体５０の上端面に固定されている発光体７０及びリフレクタ部材７０を囲うように設けられている。レンズ位置調整部材２０の内側面には、リフレクタ部材６０に設けられる凸部６４が摺動可能に嵌合するガイド溝２１が形成され、このガイド溝２１と凸部６４とが嵌合して、レンズ位置調整部材２０が設けられている。ガイド溝２１は、図示していないが、内側面において略等間隔で３つ設けられている。また、レンズ位置調整部材２０の内側面には、レンズ部材４０を回転可能に支持するための凸部２２が設けられている。凸部２２も、図４では図示していないが、内側面において略等間隔で３つ設けられている。
ガイド溝２１と凸部２２について、図５を参照しながらさらに詳細に説明する。
【００２６】
図５は、本実施形態に係る電球型照明装置１００を構成するレンズ位置調整部材２０についての断面図（図４のＡ−Ａ線断面図）である。レンズ位置調整部材２０の内側面に設けられた凸部２２と、レンズ位置調整部材２０のテーパ形状外縁の下端面２４と間には、レンズ部材４０の外縁が嵌合するようになっている。ただし、レンズ部材４０は、凸部２２と下端面２４との間で嵌合された状態で、レンズ位置調整部材２０に対して、自在に回転可能になっている。即ち、レンズ部材４０は、凸部２２と下端面２４との間で摺動可能に、レンズ位置調整部材２０に対して支持されている。
【００２７】
また、レンズ位置調整部材２０の内側面に形成されているガイド溝２１（第一のガイド溝）は、最も高い位置の最上部２１ａから徐々に下って、最も低い位置の最下部２１ｂまで、緩やかに傾斜を有して形成されている。従って、リフレクタ部材６０の凸部６４（第一の凸部）は、レンズ位置調整部材２０の回転に伴って、この最上部２１ａと最下部２１ｂとの間で摺動することができるようになっている。そして、この摺動の際に、凸部４２が凹部６３内で上下方向に摺動することにより、レンズ部材４０を回転させることなく、レンズ部材４０が上下方向（発光素子７１からの光の光軸方向）に移動するようになっている。
【００２８】
このように、本実施形態の電球型照明装置１００は、発光素子７１とレンズ４１との対向関係を維持した状態で、発光素子７１から放出される光の光軸方向にレンズ部材４０を移動させるレンズ部材移動機構を備えている。より詳しくは、電球型証明装置１００に備えられるレンズ部材移動機構は、レンズ位置調整部材２０の回転に伴って、レンズ位置調整部材２０が発光素子７１から放出される光の光軸方向に移動することで、レンズ位置調整部材２０に支持されているレンズ部材４０が前記光軸方向に移動するように構成されている。
【００２９】
＜作用＞
次に、電球型照明装置１００における作用について、図４〜図６を適宜参照しながら説明する。
図４において一点鎖線で示すように、リフレクタ部材６０及び発光体７０は、ねじ６１によって、放熱体５０に固定されている。また、レンズ部材４０においては、レンズ部材４０の下面に設けられている凸部４２がリフレクタ部材６０の上面に設けられている凹部６３に嵌合することで、レンズ部材４０は、リフレクタ部材６０に対して回転しないようになっている。ただし、レンズ４０は、ねじ６１による固定とは異なり、凸部４２の凹部６３内での上下方向への摺動により、上下方向の移動が可能である。
【００３０】
これらのように、レンズ部材４０、リフレクタ部材６０及び発光体７０は回転しないように配置固定されている。一方で、レンズ位置調整部材２０には、レンズ部材４０が回転可能に支持されている。これは、レンズ位置調整部材２０を回転させたとき、レンズ部材４０は回転しないことを意味している。
【００３１】
従って、レンズ位置調整部材２０を回転させると、ガイド溝２１に摺動可能に嵌合している凸部６４の位置に応じて、レンズ位置調整部材２０の位置が変化する。つまり、レンズ位置調整部材２０が回転されると、凸部６４の位置は回転によっても変化しないため、凸部６４に嵌合しているガイド溝２１に沿って、レンズ位置調整部材２０の位置が変化することになる。
【００３２】
具体的には、レンズ位置調整部材２０を回転させると、傾斜を有するガイド溝２１内を凸部６４が摺動するため、レンズ位置調整部材２０は上下方向に移動することになる。レンズ部材４０は、前記のように回転はしないものの、上下方向には移動可能になっている。従って、レンズ位置調整部材２０が回転されれば、それに伴ってレンズ部材４０は回転しないものの、レンズ位置調整部材２０の回転に伴う上下方向の移動に伴って、レンズ部材４０は上下方向に移動することになる。この点を、図６を参照しながらさらに説明する。
【００３３】
図６は、レンズ位置調整部材２０を回転させることで発光体７０とレンズ部材４０との距離を変更する際の各部材の動作を説明する図である。図６（ａ）は、リフレクタ部材６０の凸部６４がレンズ位置調整部材２０での最上部２１ａに位置しているとき、図６（ｂ）は、リフレクタ部材６０の凸部６４がレンズ位置調整部材２０での最下部２１ｂに位置しているときを示している。
【００３４】
図６（ａ）に示すように、凸部６４が最上部２１ａに位置しているとき、レンズ部材４０の位置が最もリフレクタ部材６０に近くなっている。即ち、発光体７０とレンズ部材４０との距離が最も短くなる。この状態から、レンズ位置調整部材２０を例えば９０°回転させると、凸部６４がガイド溝２１に沿って摺動して、レンズ位置調整部材２０の位置が上方向に移動する（図６（ｂ）参照）。このとき、レンズ部材４０の下面に設けられた凸部４２の大部分は、リフレクタ部材６０の上面に設けられた凹部６３から引き抜かれる。ただし、この状態でも、凸部４２の一部は凹部６３に嵌合した状態になっているため、レンズ位置調整部材２０を再度回転させた場合でも、レンズ部材４０が回転することはない。
【００３５】
例えば図６（ａ）に示すように、発光体７０とレンズ部材４０との距離が短くなると、照射面積が広くなる。一方で、例えば図６（ａ）に示すように、発光体７０とレンズ部材４０との距離が長くなると、照射強度が大きくなる。従って、使用者は、レンズ位置調整部材２０を回転させて、照射面積や照射強度等の特性が所望のものになるように、発光体７０とレンズ部材４０との距離を容易に連続して変更することができる。
【００３６】
＜効果＞
以上説明した電球型照明装置１００によれば、照射面積や照射強度等の照射光の特性を任意に変更可能で、さらには容易である電球型照明装置を提供することができる。
【００３７】
特に、本実施形態に係る電球型照明装置１００においては、従来のものとは異なり、レンズ部材４０を回転させることなく、発光体７０とレンズ部材４０との距離を変更することができる。これにより、レンズ部材を回転させることに伴う、レンズ部材の位置合わせが不要になり、容易に前記距離を変更（即ち、変更容易に）することができる。また、レンズ位置調整部材２０の回転に伴うレンズ部材７０の上下動作によって前記距離が変更されるので、任意の位置でレンズ部材７０を停止させることができる。これにより、照射面積や照射強度等の照射光の特性を、従来よりも柔軟に設定することができる。
【００３８】
また、図４等に示したように、発光体７０とレンズ部材４０との間にリフレクタ部材６０が設けられている。これにより、発光体７０の発光素子７１から発せられる光の指向性を高め、発せられる光が予期せぬ方向（例えば、図４においては左右方向等）漏れることを防止することができる。そのため、発せられた光の略全てがレンズ部材４０を介して外部に放出され、照射強度を高めることができる。また、例えば左右方向に光が漏れることが防止されるため、例えばレンズ位置調整部材２０と本体部３０との間からの光の漏出が無く、電球型照明装置１００の使用時の意匠性を維持することができる。また、光の漏出が無いため、より良好な光がレンズ部材４０をすることができるようになる。
【００３９】
さらに、図１や図６等に示したように、レンズ部材４０の位置を調整するレンズ位置調整部材２０は、電球型照明装置１００の最も外側に配置されている。即ち、レンズ位置調整部材２０は、放熱体５０の周囲を取り囲むようにして設けられ、電球型照明装置１００の中で、最も径の大きな部材になっている。従って、使用者が照射面積や照射強度等の特性を変更するときに、レンズ位置調整部材２０を操作する際、レンズ位置調整部材２０は最も大きな径を有しているため、把持し易い。そのため、使用者は容易な操作で（即ち、操作容易に）レンズ位置調整部材２０を回転させることができる。さらには、このような操作によってレンズ部材４０の位置を変更容易にすることができ、簡単に照射面積や照射強度等の特性を変更することができる。
【００４０】
また、本実施形態の電球型照明装置１００においては、レンズ位置調整部材２０の回転力がそのまま、レンズ部材４０を上下方向に移動させる駆動力に利用される。具体的には、図４及び図５等を参照しながら説明したように、レンズ部材４０はレンズ位置調整部材２０に回転可能に支持されている。そして、凸部６４がガイド溝２１内を摺動することによるレンズ位置調整部材２０の上下方向の移動に伴って、レンズ部材４０も上下方向に移動するようになっている。
【００４１】
従って、電球型照明装置１００においては、レンズ位置調整部材２０の回転力が別の任意の部材に伝達された後、当該別の任意の部材の駆動によりレンズ４０が移動するという機構にはなっていない。そのため、電球型照明装置１００を構成する部品の点数を削減することができる。さらには、単純な機構で、照射面積や照射強度等の特性を変更することができる。
【００４２】
さらには、別の任意の部材を介在させずにレンズ部材４０の移動が行われることで、部材同士の摩擦が低減され、レンズ部材４０を移動させるための力（レンズ位置調整部材２０を回転させる力）が小さくて済む。これにより、どのような使用者であっても、容易にレンズ部材４０の位置を変更して、照射面積や照射強度等の特性を変更することができる。さらには、部品点数が削減されるため、接触不具合等の発生頻度を低下させることができ、電球型照明装置１００の耐久性を向上させることができる。
【００４３】
また、本実施形態に係る電球型照明装置１００は口金３１（図１等参照）を備え、汎用されているソケットに接続することで、直ぐに使用可能となる。従って、例えば天井や壁等に既設のソケットを利用することで電球型照明装置１００を利用することができ、新たな設備や機材を導入する必要が無い。よって、設置場所に制限が無く、様々な場所への利用が可能である。
【００４４】
＜変形例＞
以上、本実施形態を説明したが、本発明は前記の実施形態に制限されず、本発明の要旨を損なわない範囲で任意に変更することができる。
【００４５】
例えば、リフレクタ部材６０は必ずしも必要ではなく、適宜省略することができる。リフレクタ部材６０を省略する場合、例えば発光体７０の側面等に凸部６４に相当する凸部を設け、この凸部とレンズ位置調整部材２０のガイド溝２１とが嵌合するようにしてもよい。即ち、凸部６４を設ける部材は、本体部３０を構成するリフレクタ部材６０に限られず、発光体７０や放熱体５０等であってもよい。
【００４６】
また、例えば、レンズ位置調整部材２０のガイド溝２１内に、所定間隔で複数の小さな溝等を設け、レンズ位置調整部材２０を回転させたときに、所定間隔毎にクリック感を生じさせるようにしてもよい。これにより、例えば複数の電球型照明装置において同じ照射面積等としたいときに、容易に全ての電球型照明装置でのレンズ位置調整部材２０の回転の角度を設定することができる。また、使用の時期が異なる場合でも、毎回同じ照明面積等を得ることができる。さらに、小さな溝等を設けることで、レンズ部材４０の位置をより安定して固定することができる。
【００４７】
さらに、前記の実施形態において設けられている凸部及び凹部（ガイド溝２１を含む）は、相互に置換可能である。即ち、例えば、レンズ位置調整部材２０の内側面に凸部を設け、これと嵌合するように、リフレクタ部材６０の側面にガイド溝を設けてもよい。即ち、図４等に示した実施形態では、レンズ位置調整部材２０の内側面にガイド溝２１（第一のガイド溝）が形成され、リフレクタ部材６０の側面に凸部６４（第一の凸部）が形成されているが、例えば、レンズ位置調整部材２０の内側面に凸部（第二の凸部）が形成され、リフレクタ部材６０等の本体部３０の側面にガイド溝（第二のガイド溝）が設けられるようにしてもよい。
【００４８】
また、設けられる凸部及び凹部（ガイド溝２１を含む）の数は適宜変更可能である。例えば、本実施形態において、ガイド溝２１は、凸部６４の数に対応して３つ設けられているが、ガイド溝２１の数は適宜変更可能である。ただし、レンズ４１の位置をより確実に調整できるという観点から、ガイド溝２１は複数設けられることが好ましい。そして、凸部６４の数も、設けられるガイド溝２１の数に応じて適宜決定すればよい。さらには、例えばレンズ位置調整部材２０内側面に設けられる凸部２２についても、同様に適宜変更可能であるが、より確実にレンズ４１を保持できるという観点から、凸部２２は複数設けられることが好ましい。
【００４９】
さらに、発光体７０に備えられる発行素子７１の数や、レンズ部材４０に備えられるレンズ４１の数は、適宜変更可能である。即ち、複数の発光素子７１が備えられていれば、いくつ備えられていてもよい。また、レンズ４１の数も、備えられる発光素子７１の数に応じて決定すればよい。
【００５０】
また、発光体７０に備えられる発光素子７１の種類は、ＬＥＤに何ら限定されない。例えば、発光素子７１は、有機エレクトロルミネッセンス等、どのようなものであってもよい。
【００５１】
その他、電球型照明装置は、本発明の要旨を損なわない範囲で、任意の手段や部材等を、付加、転換、削除等して構成することができる。
【符号の説明】
【００５２】
２０  レンズ位置調整部材（レンズ部材移動機構）
２１  ガイド溝（レンズ部材移動機構、第一のガイド溝）
２２  凸部（レンズ部材移動機構）
３０  本体部（電球型照明装置本体）
４０  レンズ部材
４１  レンズ
４２  凸部（回転防止部材、レンズ部材移動機構）
６０  リフレクタ部材
６４  凸部（レンズ部材移動機構、第一の凸部）
７０  発光体
７１  発光素子
１００  電球型照明装置
【図１】
2014150009.tif 000003
【図２】
2014150009.tif 000004
【図３】
2014150009.tif 000005
【図４】
2014150009.tif 000006
【図５】
2014150009.tif 000007
【図６】
2014150009.tif 000008